(57)【要約】  本発明は、オカリナを製造するための組成物に関する。さらに詳しくは、本発明は、水または銀溶液から選択されるいずれか一つの成分、焼いた黄土、及び超硬石膏からなるオカリナ製作用組成物を提供する。本発明の組成物を使用する場合、オーブンまたは火炉でベーキングする過程が不要なオカリナを製作することができ、その結果、時間とコストの面で画期的な発展をもたらすことができるうえ、オカリナ製作の自動化可能性も提示する。【選択図】なし【特許請求の範囲】
【請求項１】
水または銀溶液から選択されるいずれか一つの成分、焼いた黄土、及び超硬石膏からなる、オカリナ製作用組成物。
【請求項２】
前記黄土は、８５０℃〜１０００℃で焼いたことを特徴とする、請求項１に記載のオカリナ製作用組成物。
【請求項３】
前記黄土の大きさは、７００〜１０００メッシュサイズであることを特徴とする、請求項１に記載のオカリナ製作用組成物。
【請求項４】
前記組成物の含量比は、黄土１０〜３０重量％、超硬石膏４０〜７０重量％、水または銀溶液１０〜３０重量％であることを特徴とする、請求項１に記載のオカリナ製作用組成物。
【請求項５】
前記銀溶液の銀成分は、ナノサイズであることを特徴とする、請求項１に記載のオカリナ製作用組成物。
【発明の詳細な説明】
【技術分野】
【０００１】
本発明は、オカリナを製造するための組成物に係り、さらに詳しくは、従来のオカリナを製造するための主材料である粘土に取って代わる、オカリナ製造用新規組成物に関する。
【背景技術】
【０００２】
オカリナ(Ocarina)は、イタリア語で「小さい鵞鳥」という意味を持っており、スイートポテト(sweet potato)とも呼ばれる。各国別に伝わって来る伝統楽器は、固有の名前を持っているが、オカリナという言葉が生まれてからは、土から出来た閉管楽器であれば「オカリナ」と呼ばれることになった。例えば、韓国の伝統楽器である「フン」は、「韓国のオカリナ」とも言われる。
【０００３】
オカリナは、人類の文明が発達し始めたときから存在してきたものと推定される。原始的であるが、土で出来たホイッスル（一音が出せられる原始的な楽器）が持続的に発展し、各地域の特色に合う楽器に製作、発展してきた。原始的なオカリナが発見された地域は、ヨーロッパ、アフリカ、アジアに分布してある。現在まで発見された最も古いオカリナは、インカ文明地域から発掘された亀状のオカリナであると知られている。
【０００４】
現在の鵞鳥状のオカリナは、１８世紀にイタリアのＧ．ドナティという人によって始めて製作された。オカリナは、形態によってＴ字状と球状のオカリナに大別される。オカリナを製造するための材質は、粘土などから発達して金属、プラスチックまたは動物骨など多様である。ところが、粘土を用いたオカリナは他の材料で作られたオカリナに比べて消費者の選好度が高いため、現在市販されるオカリナの大部分は粘土でこしらえたものである。
【０００５】
従来の粘土を用いた陶器製オカリナを製造する方法は、基本的に、陶器の製造方法と同様である。例えば、適正量の粘土塊りを、上部と下部に分けられているオカリナ型枠に入れ、人の手で直接形状をこしらえる段階と、前記段階で製造された上部と下部とを手作業で接合する段階と、音孔の位置を表示する段階と、自然乾燥段階と、自然乾燥の後、予め表示しておいた音孔の位置に穿孔する段階と、オーブンまたは火炉でベーキングする段階とを含んでなる。
【発明の開示】
【発明が解決しようとする課題】
【０００６】
前述した従来の粘土を用いたオカリナ製作の問題点は、多段階を経なければならない点、特に全段階が手作業であって、単位個のオカリナを作るために長時間がかかるうえ、機械化が不可能である点にある。すなわち、前述の段階が全て手作業で行われるので、オカリナを製作する方法は、芸術的な陶器作品を製作するのと同様であると言える。
【０００７】
特に、従来のオカリナ製作技術において機械化が不可能な最も大きい理由の一つは、オーブンまたは火炉でベーキングする過程が必須不可欠であるという欠点がある。これは、オカリナ製作の出発物質として従来では粘土混練物を使用したため、必須的にベーキング過程を経ることにより、完成したオカリナの硬度を高め且つ表面の光沢または粗さなどを調節することができたからである。
【０００８】
本発明は、かかる問題点を解決するためのもので、その目的は、オーブンでベーキングする過程の段階を必要とすることなく大量生産し得るようにするオカリナ製造用新規組成物を提供することにある。
【課題を解決するための手段】
【０００９】
本発明によれば、水または銀溶液から選択されるいずれか一つの成分、焼いた黄土、及び超硬石膏からなるオカリナ製造用組成物を提供する。
【００１０】
前記組成物中の黄土は８５０℃〜１０００℃で焼いたことを特徴とする。
前記組成物中の黄土の大きさは７００〜１０００メッシュであることを特徴とする。
前記組成物の含量比は、黄土１０〜３０重量％、超硬石膏４０〜７０重量％、水または銀溶液１０〜３０重量％であることを特徴とする。
【００１１】
前記組成物を用いた、火炉またはオーブンなどでベーキングする過程を必要としないオカリナ製造方法を提供することを特徴とする。
【００１２】
本発明では、従来の技術とは異なり、粘土ではなく黄土を使用することを特徴とし、また、前記黄土を予め焼いて使用することを最も大きい特徴とする。従来のオカリナ製造過程では、粘土を使用したため、一般陶器作品を製作するのと同様に、必ずオーブンまたは火炉でベーキングする必須的であり、ベーキング過程で多くのエネルギーと時間がかかった。
【００１３】
本発明で使用される黄土は、大きさが７００〜１０００メッシュであり、８５０℃〜１０００℃で焼く。
【００１４】
本発明では、黄土を予め焼いて使用し、接着剤としての役割をする超硬石膏を共に使用する。超硬石膏は、接着剤としての役割をするため、オーブン又は火炉でベーキングしなくても、自然乾燥後のオカリナの強度を、従来の方法で製造された粘土オカリナの強度以上に維持させる。
【００１５】
焼いた黄土及び超硬石膏を水と共に混練して使用してもよく、水の代わりに銀溶液を入れて混練して使用してもよい。水または銀溶液は、従来の技術と同様に、粉末である超硬石膏と焼いた黄土とを混練するための溶媒としての役割をする。
【００１６】
特に、純粋な水の代わりに、銀が少量添加された銀溶液（溶媒は水である）を使用する場合、銀自体の殺菌効果によって、マウスピース及びオカリナの内部に残っている唾から発生するおそれのある各種病菌を効果的に殺菌することができる。特に、銀は細菌が耐性を持たないようにしながら完全に殺菌し、人体に無毒性であるうえ、安全且つ無害な物質である。
【００１７】
また、前記銀溶液における銀の粒子をナノサイズにした場合、より大きい殺菌効果を持つことができる。科学者は、銀がナノ状態では殺菌能力の面で質的な変化を起すことを発見したが、それは極少量のナノ銀は非常に強力な殺菌作用をすることである。
【００１８】
本発明のオカリナ製作用組成物の含量比は、次の通りである。
【００１９】
黄土は１０〜３０重量％、超硬石膏は４０〜７０重量％、水または銀溶液は１０〜３０重量％であることが好ましい。従来のオカリナ製作用組成物とは異なり、土成分である黄土の含量が相対的に少ないのは、本発明が目的とする、オーブンまたは火炉でベーキングする過程を必要としない組成物を提供するために、接着剤の役割をする超硬石膏が必要だからである。
【００２０】
また、本発明は、前記の組成物を用いた、オーブン又は火炉でベーキングする過程を必要としないオカリナ製作方法を提供する。従来のオカリナ製作方法は、前述したように、適当な粘土塊りを、上部と下部に分けられた別個のオカリナ型枠に入れ、人の手で直接形状をこしらえる段階と、前記段階で製造された上部と下部とを接合する段階と、音孔の位置を表示する段階と、自然乾燥段階と、予め表示しておいた音孔の位置を穿孔する段階と、オーブンまたは火炉でベーキングする段階とを含んでなる。ところが、本発明の組成物を用いる場合、焼いた黄土と超硬石膏によりベーキング過程が不要なオカリナ製作方法を提供することができる。特に、本発明の組成物を用いる場合、従来の手でこしらえる手作業方式ではなく、本発明の組成物をオカリナ金型に注入して製作することにより、音孔の表示、穿孔段階及びベーキング過程が不要なオカリナを製作することができる。
【発明を実施するための最良の形態】
【００２１】
以下、本発明の実施例によって、本発明についてより詳細に説明する。
【００２２】
［実施例１］焼いた黄土の準備
市販中のメッシュサイズ８００〜１０００の黄土を購入した。
オーブンで前記黄土を９００℃で約５時間焼いた。
【００２３】
［実施例２］組成物の準備
前記実施例１の黄土２０重量％、市販される超硬石膏６０重量％及び水２０重量％を混練し、オカリナを製造するための組成物を準備した。
【００２４】
［実施例３］オカリナ製作
前記実施例２の組成物を、本発明者によって考案された、音孔まで一度に穿孔できるように製作されたオカリナ金型に注入し、上部と下部をそれぞれ製作した後、上部と下部とを接合し、しかる後に、自然乾燥させた。
【００２５】
［実験例１］五感テスト
前記実施例３で製作したオカリナをオカリナ演奏者により肉眼で観察した。表面粗さ及び光沢の度合いにおいては従来のオカリナと差異がなく、特に演奏してみたところ、音色、音量などにおいても差異を発見することができなかった。
【産業上の利用可能性】
【００２６】
本発明の組成物を使用する場合、オーブンまたは火炉でベーキングする過程が不要なオカリナを製作することができ、その結果、時間とコストの面で画期的な発展をもたらすことができるとともに、ベーキング過程が省略できるためオカリナ製作の自動化可能性も提示する。
【国際調査報告】
2008505838.tif 000002